(57)【要約】  符号化されたパルス電子信号を出力するコーダ組立体と、中心ホイールと、マウス回路基板とを含み、コーダ組立体は、中心ホイールの中心シャフトに取り付けられ、スイング構成要素が、マウスマザーボード又はマウス回路基板のスロット内に入れられ、スイング構成要素の前端支持シャフトが、マウスマザーボード又は回路基板の前部支持体に据え付けられ、溝が、中心ホイールを支持するようスイング構成要素の両側に設けられ、マウス回路基板上に取り付けられる２つのスイッチと協働する接触アームが、スイング構成要素の両側に取り付けられ、ホイール下方向押しキー接触アームは、スイング構成要素のトレーリング端に取り付けられ、ホイール下方向押しキースイッチは、ホイール下方向押しキー接触アームの下でマウス回路基板上に取り付けられる、マウス用４軸中心ホイールモジュール。上述の中心ホイールモジュールが、使用時に、誤動作するのを防ぐ目的で、本発明には以下の構造、すなわち、位置制限装置、又は、レバー構成要素及びレバー構成要素と協働する接触アーム、又は、スイング複合スイッチ、又はヘッドスタンドスイッチが設けられる。【選択図】  図４２
2009503659.tif 000002
【特許請求の範囲】
【請求項１】
一の符号化されたパルス電子信号を出力する一のコーダ組立体と、一の中心ホイールと、一のマウス回路基板とを含むマウス用４軸中心ホイールモジュールであって、
前記コーダ組立体は、前記中心ホイールの中心シャフトの周りに適合され、
一のスイング構成要素が、マウスマザーボード又は前記回路基板の一のスロット内に入れられ、
前記スイング構成要素の前端支持シャフトが、前記マウスマザーボード又は前記回路基板の前部支持体に据え付けられ、
一のカード溝が、前記中心ホイールを支持するよう前記スイング構成要素の両側に設けられ、
前記マウス回路基板上の複数のスイッチと協働する複数の接触アームが、前記スイング構成要素の２つの側に取り付けられ、
一のホイール下方向押しキー接触アームが、前記スイング構成要素のトレーリング端に取り付けられ、
ホイール下方向押しキースイッチは、前記ホイール下方向押しキー接触アームの下で前記マウス回路基板上に取り付けられる、マウス用４軸中心ホイールモジュール。
【請求項２】
一の後部支持体が、前記マウスマザーボード又は前記回路基板に取り付けられ、
前記後部支持体にクリップされる一の後部支持シャフトが、前記スイング構成要素の後部に取り付けられる、請求項１に記載のマウス用４軸中心ホイールモジュール。
【請求項３】
押し動作下で前記スイング構成要素が左右にスイングすることにより生成される運動左右誤動作信号を阻止するよう一の位置制限装置が、前記４軸中心ホイールモジュールの前記スイング構成要素及び前記マウス回路基板のそれぞれに取り付けられる、請求項２に記載のマウス用４軸中心ホイールモジュール。
【請求項４】
前記位置制限装置の前部支持シャフト又は後部支持シャフトのいずれかが、セクタ形断面を有するよう構成され、
対応する支持体は、一のセクタ形溝を有するよう構成され、
前記セクタ形断面を有する前記支持シャフトの底部は、弧面、平面、又は斜面であり、
前記支持体の前記セクタ形溝の底部は、対応する弧面、平面、又は斜面である、請求項３に記載のマウス用４軸中心ホイールモジュール。
【請求項５】
前記位置制限装置は、
前記スイング構成要素の両側に取り付けられる複数の位置制限柱と、
前記マウスマザーボード又は前記マウス回路基板の対応する位置における複数の位置制限穴と、
を含む、請求項３に記載のマウス用４軸中心ホイールモジュール。
【請求項６】
前記マウス回路基板には、前記スイング構成要素の両側で前記接触アームに接触する一のレバー組立体が取り付けられ、
前記複数のスイッチは、前記レバー組立体の下で、それぞれ、前記マウス回路基板上に取り付けられる、請求項２に記載のマウス用４軸中心ホイールモジュール。
【請求項７】
レバーに対して垂直な複数の延在アームが、前記レバー組立体の両側から延在し、
前記複数の延在アームは、前記スイング構成要素３の両側に取り付けられる前記複数の接触アームの上部まで延在し、
前記複数の延在アームと前記レバーの接合部分の下の前記回路基板の領域に、前記複数のスイッチのそれぞれが取り付けられる、請求項６に記載のマウス用４軸中心ホイールモジュール。
【請求項８】
前記複数の接触アーム３６及び３７の接点は、上を向き、
複数のヘッドスタンドスイッチが、それぞれ、前記２つの接触アームの上方に取り付けられ、
前記スイング構成要素が左右にスイングされると、前記複数の接触アームは、対応するヘッドスタンドスイッチに接触し、
前記複数のヘッドスタンドスイッチは、複数の出力端子及び複数の固定脚により前記マウス回路基板に接続される、請求項２に記載のマウス用４軸中心ホイールモジュール。
【請求項９】
前記ヘッドスタンドスイッチは、一の底部基部と、一のボウル形バネ部片と、一のボタンと、一のカバー部片とを含み、
前記ボウル形バネ部片は、前記底部基部内に入れられ、
前記出力端子は、前記底部基部の上部から延出し、
前記ボウル形バネ部片の縁は、前記底部基部の内側空隙の両側の複数の金属凸部に接触し、
前記ボウル形バネ部片の中央部は、突出し且つ垂下し、
前記ボウル形バネ部片の上方に、前記ボタンが据え付けられ、
前記ボタンの内部空隙には、前記バネ部片に直接接触する一の軟体が入れられ、
前記カバー部片の４つの小さな穴は、４つのリベット円柱に好適に適合され、当該リベット円柱と共にリベット締めされ、
前記カバー部片の上部には、前記複数の固定脚が取り付けられ、下部は、クリップ脚により前記底部基部に固定される、請求項８に記載のマウス用４軸中心ホイールモジュール。
【請求項１０】
前記スイング構成要素の両側にある前記複数の接触アームに、下を向く複数の接点が取り付けられ、
片側の前記接触アームが上げられると、当該接触アームは、前記上を向く接点を介して前記ヘッドスタンドスイッチに接触し、もう片側の前記接触アーム上の下を向く接点は、前記マウス回路基板に当たる、請求項８に記載のマウス用４軸中心ホイールモジュール。
【請求項１１】
一の符号化されたパルス電子信号を出力する一のコーダ組立体と、一の中心ホイールと、一のマウス回路基板とを含み、前記コーダ組立体は、前記中心ホイールの中心シャフトの周りに適合される、マウス用４軸中心ホイールモジュールであって、
一のスイング支持体が、マウスマザーボード又は前記回路基板の一のスロット内に入れられ、
前記スイング支持体の一端には、前記マウスマザーボード又は前記回路基板の支持体に取り付けられる一の支持シャフトが取り付けられ、
一のカード溝が、前記中心ホイールを支持するよう前記スイング支持体の両側に設けられ、
前記スイング支持体の一端には、前記回路基板上に固定されるスイング複合スイッチの中心穴に取り付けられる一の回転シャフトが取り付けられる、マウス用４軸中心ホイールモジュール。
【請求項１２】
前記スイング複合スイッチは、一の底部基部と、一の回転子と、一のケーシングと、一のバネと、一の切替部片とを含み、
前記切替部片は、一の基準円柱に取り付けられ、
前記切替部片の３つの導電性凸部が、前記底部基部の内面に接触し、
前記バネは、前記回転子の溝内に入れられ、
前記バネの延在部は、前記底部基部の空隙内に挟まれるように入れられ、
前記ケーシングは、リベット締めにより前記底部基部の４つの基準円柱に取り付けられ且つ固定される、請求項１１に記載のマウス用４軸中心ホイールモジュール。
【請求項１３】
前記スイング複合スイッチは、一の底部基部と、一の回転子と、一のケーシングと、一のバネと、一の切替部片と、一の接触底部基部とを含み、
前記切替部片は、一の基準円柱に取り付けられ、
前記切替部片の３つの導電性凸部は、前記底部基部の内面に接触し、
前記バネは、前記回転子の一の溝内に入れられ、
前記バネの延在部は、前記底部基部の空隙内に挟まれるように入れられ、
前記接触底部基部は、前記底部基部の内側に据え付けられ、
前記接触底部基部の内側には、一の接触バネ部片が据え付けられ、
前記接触バネ部片は、前記回転子のトレーリング端の接触円柱の下方向押し方向だけにあり、
前記ケーシングは、リベット締めにより前記底部基部の４つの基準円柱に取り付けられ且つ固定される、請求項１１に記載のマウス用４軸中心ホイールモジュール。
【請求項１４】
一の下方向押しキー接触アームが、前記スイング支持体の前記支持シャフトの一端に取り付けられ、
一の下方向押しキースイッチが、前記マウス回路基板上の対応する位置に取り付けられる、請求項１１に記載のマウス用４軸中心ホイールモジュール。
【請求項１５】
前記スイング複合スイッチは、一の底部基部と、一の回転子と、一のケーシングと、一のバネと、一の切替部片とを含み、
一の基準円柱に前記切替部片が取り付けられ、
前記切替部片の両方の導電性凸部は、前記底部基部の内面に接触し、
前記バネは、前記回転子の溝内に入れられ、
前記バネの延在部は、前記底部基部の空隙内に挟まれるように入れられ、
前記ケーシングは、リベット締めにより前記底部基部の４つの基準円柱に取り付けられ且つ固定される、請求項１４に記載のマウス用４軸中心ホイールモジュール。
【請求項１６】
前記コーダ組立体は、前記スイング支持体の片側の一の矩形スロット内に入れられる、請求項１乃至１５のうちいずれか一項に記載のマウス用４軸中心ホイールモジュール。
【請求項１７】
前記コーダ組立体は、前記中心ホイールの内側空間内に入れられる、請求項１乃至１５のうちいずれか一項に記載のマウス用４軸中心ホイールモジュール。
【請求項１８】
前記コーダは、一の基部と、一のケーシングと、一の回転子と、一の切替部片とを含み、
前記切替部片がリベット締めされる前記回転子は、前記基部の溝内に入れられ、
前記切替部片は、前記基部内の一の金属部片に接触し、
前記ケーシングは、前記切替部片と前記回転子が前記基部内に密封されるよう前記基部に接続され、
前記ケーシングには、前記コーダを固定するための一の固定脚が取り付けられ、
前記固定脚は、前記コーダを位置付けするよう前記スイング支持体の前記カード溝に挿入され、それにより、前記コーダが、前記マウス中心ホイールの前記回転シャフトと一緒に回転することを阻止する、請求項１７に記載のマウス用４軸中心ホイールモジュール。
【発明の詳細な説明】
【技術分野】
【０００１】
本発明は、マウス内に取り付けられた４軸中心ホイールモジュールに係り、より具体的には、使用時にコンピュータのウィンドウ上のページを容易に上下左右にめくることのできるマウス用の中心ホイールモジュールに係る。
【背景技術】
【０００２】
図１に示すように、従来のマウス用４軸中心ホイールモジュールは、基本的に、底部トレイ支持設計を採用する。これは、左バネ及び右バネによってバランスが保たれ、取り付け上部カバーが被され、モジュールの中央部の２つの側面に左接触アーム及び右接触アームを有する。従来のマウス用４軸中心ホイールモジュールは、構造が複雑であり、様々な部品及び構成要素があり、製造が困難であり、価格が高く、柔軟性が低く、また、動的バランスが適切に配置されず、個人に合わせたマウスの設計には適していない。
【発明の概要】
【０００３】
従来のマウス用４軸中心ホイールモジュールの制限、すなわち、複雑な構造、多すぎる部品及び構成要素、製造の難しさ、高価格、低柔軟性、及び不適切な配置を取り除く目的で、本発明は、単純な構造、少ない部品及び構成要素、簡単な組立て、低価格、及び簡単な操作を有する新しいマウス用４軸中心ホイールモジュールを提供する。
【０００４】
本発明の１つの技術的な解決策は、符号化されたパルス電子信号を出力するコーダ組立体と、中心ホイールと、マウス回路基板とを含み、コーダ組立体は、中心ホイールの中心シャフトに取り付けられ、スイング構成要素が、マウスマザーボード又はマウス回路基板のスロット内に入れられ、スイング構成要素の前端支持シャフトが、マウスマザーボード又は回路基板の前部支持体に据え付けられ、溝が、中心ホイールを支持するようスイング構成要素の両側に設けられ、マウス回路基板上の２つのスイッチと協働する接触アームが、スイング構成要素の両側に取り付けられ、ホイール下方向押しキー接触アームは、スイング構成要素のトレーリング端に取り付けられ、ホイール下方向押しキースイッチは、ホイール下方向押しキー接触アームの下でマウス回路基板上に取り付けられる、マウス用４軸中心ホイールモジュールである。
【０００５】
後部支持体が、マウスマザーボード又は回路基板上に取り付けられ、後部支持体にクリップされる後端支持シャフトが、スイング構成要素に取り付けられる。
【０００６】
上述した技術的な解決策に関連する中心ホイールモジュールが、使用時に、誤動作することを防ぐ目的で、本発明では、以下の構造、すなわち、位置制限装置、又は、レバー構成要素及び当該レバー構成要素と協働する接触アーム、又は、スイング複合スイッチ、又は、ヘッドスタンドスイッチが設けられる。
【０００７】
さらに、マウス用の中心ホイールモジュールのサイズを減少する目的で、本発明では、コーダ組立体は、マウス用の中心ホイールモジュール内に取り付けられ、また、コーダ組立体を固定するよう取付け脚も設けられる。
【０００８】
本発明の別の技術的な解決策は、符号化されたパルス電子信号を出力するコーダ組立体と、中心ホイールと、マウス回路基板とを含むマウス用４軸中心ホイールモジュールである。コーダ組立体は、中心ホイールの中心シャフトに取り付けられ、スイング支持体が、マウスマザーボード又は回路基板のスロット内に入れられる。スイング支持体の一端にある支持シャフトは、マウスマザーボード又は回路基板の支持体に取り付けられ、カード溝が、中心ホイールを支持するようスイング支持体の両側に設けられる。スイング支持体の一端にある回転シャフトは、回路基板上に固定されるスイング複合スイッチの中心穴に差し込まれる。スイング構成要素の両側の下方向押しキースイッチは、スイング複合スイッチによって置換される。
【０００９】
本発明の有利な効果は、マウス用４軸中心ホイールモジュールの左右スイッチに特殊及び自然の弾性によってバランスが保たれるので、構造は、単純化され、費用が削減される。これは、前端の両側における左右の接触アーム、中央の押しキー接触によって力学のバランスが保たれた三角形が形成されるので、モジュールはよりバランスが保たれ、信頼性があがる。また、コーダが、中心ホイールの外側に取り付けられるので、製造及び組立て動作が単純化され、また、中心ホイールは、より多くの設計柔軟性を有して大きくも小さくも設計可能であり、これは、マウスの個別の設計には適している。さらに、マウス用４軸中心ホイールで使用する従来の底部トレイ支持体と上部カバーが使用されないので、構造は非常に単純化される。
【図面の簡単な説明】
【００１０】
【図１】従来のマウス用４軸中心ホイールモジュールを示す構造図である。
【００１１】
【図２】本発明の第１の実施形態を示す構造図である。
【００１２】
【図３】別の方向から見た本発明の第１の実施形態を示す構造図である。
【００１３】
【図４】本発明の第１の実施形態を示す分解構造図である。
【００１４】
【図５】本発明の第１の実施形態のマウス回路基板を示す構造図である。
【００１５】
【図６】本発明の第１の実施形態のスイング構成要素を示す構造図１である。
【００１６】
【図７】本発明の第１の実施形態のスイング構成要素を示す構造図２である。
【００１７】
【図８】本発明の第１の実施形態のスイング構成要素を示す構造図３である。
【００１８】
【図９】本発明の第２の実施形態を示す構造図である。
【００１９】
【図１０】別の方向から見た本発明の第２の実施形態を示す構造図である。
【００２０】
【図１１】本発明の第２の実施形態を示す分解構造図である。
【００２１】
【図１２】本発明の第２の実施形態のスイング構成要素を示す構造図である。
【００２２】
【図１３】本発明の第２の実施形態の後部支持体及び支持シャフトを示す拡大図である。
【００２３】
【図１４】本発明の第２の実施形態の後部支持体及び支持シャフトを示す拡大図である。
【００２４】
【図１５】本発明の第２の実施形態の２つの他の構造の後部支持体及び支持シャフトを示す拡大図である。
【００２５】
【図１６】本発明の第２の実施形態の２つの他の構造の後部支持体及び支持シャフトを示す拡大図である。
【００２６】
【図１７】本発明の第３の実施形態を示す構造図である。
【００２７】
【図１８】本発明の第４の実施形態を示す構造図である。
【００２８】
【図１９】本発明の第４の実施形態のマウス回路基板を示す構造図である。
【００２９】
【図２０】本発明の第４の実施形態のレバー組立体を示す構造図である。
【００３０】
【図２１】本発明の第４の実施形態のスイング構成要素を示す構造図である。
【００３１】
【図２２】本発明の第４の実施形態の変更を示す構造図である。
【００３２】
【図２３】本発明の第４の実施形態のマウス回路基板の変更を示す構造図である。
【００３３】
【図２４】本発明の第４の実施形態のレバー組立体の変更を示す構造図である。
【００３４】
【図２５】本発明の第４の実施形態の別の変更を示す構造図である。
【００３５】
【図２６】本発明の第４の実施形態のマウス回路基板の別の変更を示す構造図である。
【００３６】
【図２７】本発明の第４の実施形態のレバー組立体の別の変更を示す構造図である。
【００３７】
【図２８】本発明の第４の実施形態のスイング構成要素の別の変更を示す構造図である。
【００３８】
【図２９】本発明の第５の実施形態を示す構造図である。
【００３９】
【図３０】本発明の第５の実施形態を示す分解構造図である。
【００４０】
【図３１】本発明の第５の実施形態のスイング複合スイッチを示す分解構造図である。
【００４１】
【図３２】本発明の第６の実施形態を示す構造図である。
【００４２】
【図３３】本発明の第６の実施形態を示す分解構造図である。
【００４３】
【図３４】本発明の第６の実施形態のスイング複合スイッチを示す分解構造図である。
【００４４】
【図３５】本発明の第６の実施形態のスイング複合スイッチの動作原理を示す図である。
【００４５】
【図３６】本発明の第７の実施形態のスイング複合スイッチを示す分解構造図である。
【００４６】
【図３７】本発明の第８の実施形態を示す構造図である。
【００４７】
【図３８】本発明の第８の実施形態を示す分解構造図である。
【００４８】
【図３９】本発明の第８の実施形態のヘッドスタンドスイッチを示す分解構造図である。
【００４９】
【図４０】本発明の第８の実施形態のスイング構成要素の変更を示す構造図である。
【００５０】
【図４１】本発明の第８の実施形態のスイング構成要素の変更を示す構造図である。
【００５１】
【図４２】本発明の第９の実施形態を示す構造図である。
【００５２】
【図４３】本発明の第９の実施形態のコーダ組立体を示す分解構造図である。
【発明を実施するための最良の形態】
【００５３】
本発明の第１の実施形態を示す図２−８に示すように、マウス用の４軸中心ホイールモジュールは、符号化されたパルス電子信号を出力するコーダ組立体１と、中心ホイール２と、マウス回路基板７を含む。コーダ組立体１は、中心ホイール２の中心シャフトに取り付けられ、その３つの出力端子は、フラットケーブルを介してマウス回路基板７に接続される。スイング構成要素３が、マウス回路基板７に延在するスロット内に入れられる。スイング構成要素３の前端支持シャフト３５は、マウスマザーボード又は回路基板の前部支持体７１に据え付けられ、スイング構成要素３の後部にある後端支持シャフト３４は、マウスマザーボード又は回路基板の後部支持体７２によりクリップされる。カード溝３２、３３が、中心ホイール２を支持するようスイング構成要素３の両側に設けられる。コーダ１は、スイング構成要素の片側に形成される矩形スロット３１内に入れられる。接触アーム３７及び３６が、スイング構成要素３の前部の両側に取り付けられ、同時にスイッチ５及び６が、接触アームの下でマウス回路基板７上に取り付けられる。ホイール下方向押しキー接触アーム３８が、スイング構成要素３のトレーリング端に取り付けられ、ホイール下方向押しキースイッチ４は、ホイール押し下方向キー接触アームの下でマウス回路基板７に取り付けられる。ホイール下方向押しキー接触アーム３８には、バネ９が巻き付けられる。
【００５４】
中心ホイール２が、左にスイングするよう動かされると、スイング構成要素３の左接触アーム３７は、マウス回路基板の左スイッチ５に接触し、左スイッチ５は、ページを左に動かす又はページをめくるためのオン／オフ信号を出力する。中心ホイール２が、右にスイングするよう動かされると、スイング構成要素３の右接触アーム３６は、マウス回路基板の右スイッチ６に接触し、右スイッチ６は、ページを右に動かす又はページをめくるためのオン／オフ信号を出力する。
【００５５】
中心ホイール２が押し下げられる場合、スイング構成要素の下方向押しキー接触アーム３８が押し下げられ、マウス回路基板上のホイール下方向押しキースイッチ４を動かし、マウスの中央ボタンの機能を実現する。中心ホイールが解放されると、マウス用の４軸中心ホイールモジュールは、バネ９によって元の位置に戻される。バネを使用しない構造が採用される場合は、マウス用の４軸中心ホイールモジュールは、大きい弾性を有するホイール下方向押しキースイッチ４の弾力によって元の位置に戻される。
【００５６】
本発明の第２の実施形態を示す図９−１４に示すように、マウス用の４軸中心ホイールモジュールは、符号化されたパルス電子信号を出力するコーダ組立体１と、中心ホイール２と、マウス回路基板７を含む。コーダ組立体１は、中心ホイール２の中心シャフトに取り付けられ、コーダ組立体１の３つの出力端子は、フラットケーブルを介してマウス回路基板７に接続される。スイング構成要素３が、マウス回路基板７に延在するスロット内に入れられる。スイング構成要素３の前端支持シャフト３５は、マウスマザーボード又は回路基板の前部支持体７１に据え付けられ、後部支持体７２は、マウスマザーボードまたは回路基板上に取り付けられる。スイング構成要素３の後部には、セクタ形後部支持シャフト３４１が取り付けられ、これは、後部支持体７２のセクタ形溝７３によりクリップされる。カード溝３２、３３が、中心ホイール２を支持するようスイング構成要素３の両側に設けられる。コーダ１は、スイング構成要素の片側に形成される矩形スロット３１内に入れられる。接触アーム３７及び３６が、スイング構成要素３の前部の両側に取り付けられ、同時にスイッチ５及び６が、接触アームの下でマウス回路基板７上に取り付けられる。ホイール下方向押しキー接触アーム３８が、スイング構成要素３のトレーリング端に取り付けられ、ホイール下方向押しキースイッチ４は、ホイール押し下方向キー接触アームの下でマウス回路基板７に取り付けられる。ホイール下方向押しキー接触アーム３８には、バネ９が巻き付けられる。
【００５７】
４軸中心ホイールモジュールが自由な状態にある場合、セクタ形溝７３内には、セクタ形後端支持シャフト３４が動くのに十分な空間があり、セクタ形後端支持シャフト３４は、左（Ｌ）及び右（Ｒ）にスイングし、また、下方向（Ｄ）に押されることが可能である。４軸中心ホイールモジュールにおいて下方向の押し動作が行われると、セクタ形溝７３におけるセクタ形後部支持シャフト３４の左スイング及び右スイングは、セクタ形溝３７の両側により抵抗され、且つ、停止され、１つの動作だけが確実にされる。下方向の押し動作は、従来の４軸中心ホイールモジュールにおいて容易に行われるが、円柱状の後部支持ロッドが、後部支持体の円形溝内で自由に回転可能であるので、左右のスイングの誤動作が容易に生じてしまう。
【００５８】
図１５及び１６に示すように、セクタ形断面を有する支持シャフトの底部は、弧面であってもよく、その場合、支持体のセクタ形溝の底部は、対応する弧面でありうる。また、セクタ形断面を有する支持シャフトの底部は、平面であってもよく、その場合、支持体のセクタ形溝の底部は、対応する平面でありうる。
【００５９】
本発明の第３の実施形態を示す図１７に示すように、位置制限装置が、第２の実施形態の４軸中心ホイールモジュールのスイング構成要素とマウス回路基板のそれぞれに取り付けられ、それにより、押し動作下でスイング構成要素が左右にスイングすることによる運動エネルギー左右誤動作により信号が生成されることを阻止する。この位置限定装置は、スイング構成要素３の両側にある位置制限柱７４と、マウス回路基板７の対応する位置にある位置制限穴を含む。
【００６０】
本発明の第４の実施形態を示す図１８−２１に示すように、マウス用の４軸中心ホイールモジュールは、符号化されたパルス電子信号を出力するコーダ組立体１と、中心ホイール２と、マウス回路基板７を含む。コーダ組立体１は、中心ホイール２の中心シャフトに取り付けられる。スイング構成要素３が、マウス回路基板７に延在するスロット内に入れられる。スイング構成要素３の両端にある支持シャフト３４及び３５は、マウスマザーボード又は回路基板の前部支持体７１及び後部支持体７２に据え付けられる。カード溝３２及び３３が、中心ホイール２を支持するようスイング構成要素３の両側に設けられる。コーダ１は、スイング構成要素の片側に形成される矩形スロット３１内に入れられる。ホイール下方向押しキー接触アーム３８が、スイング構成要素３のトレーリング端に取り付けられ、ホイール下方向押しキースイッチ４は、ホイール押し下方向キー接触アームの下でマウス回路基板７に取り付けられる。円柱８１が、後部支持体７２に取り付けられ、対応する円形穴８２が、レバー組立体８内に設けられる。レバー組立体８は、円柱８１上に取り付けられる。円柱８１において旋回し、レバーに対して垂直である延在アーム８２は、レバー組立体の両側から延在する。スイング構成要素３の両側に取り付けられる接触アームは、延在アーム８３の下に取り付けられる。スイッチ５及び６は、延在アーム８３とレバーの交差接続部において回路基板７に取り付けられる。レバー組立体８は、前部支持体に据え付けられるも可能であり、対応して、スイッチ５及び６、並びに接触アーム３６及び３７も、マウス回路基板の前部に取り付けられることが可能である。
【００６１】
図２２−２４に示すように、円形穴を有する支持体８４を、後部支持体７２の後部に取り付けることも可能である。円柱凸部８５が、レバー組立体８に取り付けられ、この円柱凸部は、円形穴に挿入され、支持体８４において旋回する。
【００６２】
図２５−２８に示すように、円形穴を有する支持体８４は、前部支持体７１の前部に取り付けられることも可能である。円柱凸部８５が、レバー組立体８に取り付けられる。この円柱凸部は、円形穴に挿入され、支持体８４において旋回する。このとき、接触アーム３６及び３７、スイッチ５及び６も、スイング構成要素の前部に取り付けられることが可能である。
【００６３】
本発明の第５の実施形態を示す図２９−３１に示すように、マウス用の４軸中心ホイールモジュールは、符号化されたパルス電子信号を出力するコーダ組立体１と、中心ホイール２と、マウス回路基板７を含む。コーダ組立体１は、中心ホイール２の中心シャフトに取り付けられる。スイング構成要素３が、マウス回路基板７に延在するスロット内に入れられる。スイング構成要素３の一端には、前端支持シャフト３５が取り付けられ、これは、マウスマザーボード又は回路基板の前部支持体７１に据え付けられる。カード溝が、中心ホイール２を支持するようスイング構成要素３の両側に設けられる。回転シャフト３９が、スイング構成要素３の一端に取り付けられ、回転シャフトは、スイング複合スイッチ１０の中心穴に差し込まれる。スイング複合スイッチ１０は、回路基板７上に固定される。コーダ組立体１は、スイング構成要素３の片側に形成される矩形スロット３１内に入れられる。下方向押しキー接触アーム３８が、スイング構成要素３の支持シャフトの一端に取り付けられ、下方向押しキースイッチ４が、マウス回路基板７の対応する位置に取り付けられる。このスイング複合スイッチ１０は、底部基部４１と、回転子４２と、ケーシング４３と、バネ４４と、切替部片４５を含む。切替部片４５は、回転子４３の下部の基準円柱に取り付けられ、切替部片の両方の導電性凸部は、底部基部４１の内面に接触する。バネ４４は、回転子４２の溝の中に入れられ、バネの延在部は、底部基部４１の空隙内に挟まれるように入れられる。ケーシング４３は、リベット締めにより底部基部４１の４つの基準円柱に取り付けられ且つ固定される。
【００６４】
使用時、中心ホイール２は左右に振られ、回転シャフトが回転子４３を回転させ、それにより、切替部片４５が、底部基部４１の表面上の金属部片に接触し、信号が出力され、ページが左右にめくられる。スイング構成要素３が下方向に押されると、下方向押しキー接触アーム３８が作動し、識別機能が行われる。
【００６５】
本発明の第６の実施形態を示す図３２−３４に示すように、マウス用の４軸中心ホイールモジュールは、符号化されたパルス電子信号を出力するコーダ組立体１と、中心ホイール２と、マウス回路基板７を含む。コーダ組立体１は、中心ホイール２の中心シャフトに取り付けられる。スイング構成要素３は、マウス回路基板７に延在するスロット内に入れられる。前端支持シャフト３５は、スイング構成要素３の一端に取り付けられ、マウスマザーボード又は回路基板の前部支持体７１に据え付けられる。カード溝が、中心ホイール２を支持するようスイング構成要素３の両側に設けられる。回転シャフト３９は、構成要素３の一端に取り付けられ、スイング複合スイッチ１０の中心穴内に差し込まれる。スイング複合スイッチ１０は、回路基板７上に固定される。コーダ組立体１は、中心ホイール２内の空間に入れられ、コーダ組立体の固定脚１２は、スイング構成要素３の片側の基準スロット１１内に入れられる。このスイング複合スイッチ１０は、底部基部４１と、回転子４２と、ケーシング４３と、バネ４４と、切替部片４５を含む。切替部片４５は、回転子４３の下部の基準円柱に取り付けられ、切替部片の両方の導電性凸部は、底部基部４１の内面に接触する。バネ８４は、回転子４２の溝の中に入れられ、バネの延在部は、底部基部４１の空隙内に挟まれるように入れられる。ケーシング４３は、リベット締めにより底部基部４１の４つの基準円柱に取り付けられ且つ固定される。
【００６６】
図３５に示すように、使用時、中心ホイール２が左右に振られる、又は、スイング構成要素３が下方向に押されると、切替部片４５は、底部基部の表面の様々な場所において金属部片にそれぞれ接触し、これらの金属部片は、異なる出力端子に接続される。従って、信号が出力され、ページが左右にめくられ、識別機能が行われる。
【００６７】
本発明の第７の実施形態を示す図３６を参照するに、この実施形態の第６の実施形態と異なる点は、スイング複合スイッチ１０が、底部基部４１と、回転子４２と、ケーシング４３と、バネ４４と、切替部片４５と、接触底部基部４６を含む点である。切替部片４５は、回転子４３の下部の基準円柱に取り付けられ、切替部片の両方の導電性凸部は、底部基部４１の内面に接触する。バネ４４は、回転子４２の溝の中に据え付けられ、バネの延在部は、底部基部４１の空隙内に挟まれるように入れられる。接触底部基部４６は、底部基部４１の内側に据え付けられ、接触バネ部片４７が内部に据え付けられる。接触バネ部片４７は、回転子のトレーリング端の接触円柱の下方向押し方向だけにある。ケーシング４３は、リベット締めにより底部基部４１の４つの基準円柱に取り付けられ且つ固定される。
【００６８】
使用時、同様に、中心ホイール２が左右に振られ、それにより、切替部片４５が、底部基部の表面の金属部片に接触し、信号が出力され、ページが左右にめくられる。しかし、スイング構成要素３が下方向に押されると、回転子のトレーリング端の作動円柱が、接触バネ部片４７に接触し且つそれを作動し、信号が、接触底部基部４６を介して出力され、それにより識別機能が行われる。
【００６９】
本発明の第８の実施形態を示す図３７−３８に示すように、マウス用の４軸中心ホイールモジュールは、符号化されたパルス電子信号を出力するコーダ組立体１と、中心ホイール２と、マウス回路基板７を含む。コーダ組立体１は、中心ホイール２の中心シャフトに取り付けられる。スイング構成要素３が、マウス回路基板７に延在するスロット内に入れられる。スイング構成要素３の両端にある支持シャフト３５及び３６は、マウスマザーボード又は回路基板上の支持体７１及び７２上に据え付けられる。カード溝３２及び３３が、中心ホイール２を支持するようスイング構成要素３の両側に設けられる。コーダ１は、スイング構成要素の片側にある矩形スロット３１に入れられる。ホイール下方向押しキー接触アーム３８は、スイング構成要素３のトレーリング端に取り付けられ、ホイール下方向押しキースイッチ４は、ホイール下方向押しキー接触アームの下でマウス回路基板７に取り付けられる。接触アーム３６及び３７は、スイング構成要素３の前部の両側に取り付けられ、それらの接点は上に向けられる。ヘッドスタンドスイッチ５１及び６１は、それぞれ、接触アームの位置に取り付けられ、マウス回路基板に、出力端子及び固定脚を介して接続される。
【００７０】
図３９に示すように、ヘッドスタンドスイッチは、底部基部５３と、ボウル形バネ部片５４と、ボタン５５と、ケーシング５６を含む。ボウル形バネ部片５４は、底部基部５３内に入れられ、出力端子６４は、底部基部５３の上部から延出する。ボウル形バネ部片５４の縁は、底部基部５３の内側空隙の両側の金属凸部５７に接触する。ボウル形バネ部片５４の中央部は突出し、垂下される。ボタン５５は、ボウル形バネ部片５４の上方に据え付けられる。軟体５８が、ボタン５５の内側空隙内に取り付けられる。ケーシング５６の４つの小さな穴５９は、底部５３の４つのリベット円柱６０とリベット締めされるよう単に好適に適合される。固定脚が、ケーシングの上部に取り付けられる。曲げに対する抵抗を増加する強化リブ６３が、出力端子６４及び固定脚５２に取り付けられる。固定脚５２は、出力端子６４の２つの隣接する端に取り付けられる。
【００７１】
中心ホイール２が、右にスイングするよう動かされると、スイング構成要素３の左接触アーム３７が上に動き、マウス回路基板上のヘッドスタンドスイッチ６１のボタンに接触する。ヘッドスタンドスイッチ６１は、オン／オフ信号を出力し、ウィンドウのページは、回路基板の電気回路を逆に接続する方法で右に動かしたり、めくったりすることができる。中心ホイール２が、左にスイングするよう動かされると、スイング構成要素３の右接触アーム３６が上に動き、マウス回路基板上のヘッドスタンドスイッチ５１のボタンに接触する。ヘッドスタンドスイッチ５１は、オン／オフ信号を出力し、ウィンドウのページは、回路基板の電気回路を逆に接続する方法で左に動かしたり、めくったりすることができる。中心ホイール２が下に押されると、スイング構成要素３のホイール下方向押しキー接触アーム３８が押し下げられ、マウス回路基板上のホイール下方向押しキースイッチ４を動かし、マウスの中央ボタンの機能を実現する。中心ホイールが解放されると、マウス用４軸中心ホイールモジュールは、バネ９によって元の位置に戻される。
【００７２】
図４０−４１に示すように、下方向の接点が、スイング構成要素の両側の接触アームに取り付けられることが可能である。片側の接触アームが上げられると、接触アームは、上を向く接点によりヘッドスタンドスイッチに接触し、もう片側の接触アームの下を向く接点が、マウス回路基板に当たる。
【００７３】
図４２−４３に示すように、マウス用４軸中心ホイールモジュールは、符号化されたパルス電子信号を出力するコーダ組立体１と、中心ホイール２と、マウス回路基板７を含む。コーダ組立体１は、中心ホイール２の中心シャフトに取り付けられる。スイング構成要素３が、マウス回路基板７から延出するスロット内に入れられる。支持シャフトが、スイング構成要素３の両端に取り付けられ、マウスマザーボード又は回路基板の支持体に据え付けられる。カード溝が、中心ホイール２を支持するようスイング構成要素３の両側に設けられる。コーダ組立体１は、マウス中心ホイールの中心シャフトを通され、中心ホイール内に入れられる。コーダは、基部２５と、ケーシング２３と、回転子２４と、切替部片２２を含む。切替部片２２がリベット締めされる回転子２３は、基部２５の溝内に入れられる。切替部片２２は、基部２５の金属部片２１に接触する。ケーシング２３は、基部２５に接続され、それにより、切替部片２２及び回転子２４は、基部２５内に密封される。コーダ１を固定する固定脚２７及び回転子２４を位置付ける凹型接点２６は、ケーシング２３上に取り付けられる。固定脚２７は、コーダを位置付けるようスイング支持体のカード溝２８内に挿入され、それにより、コーダ１がマウス中心ホイール２の回転シャフトと一緒に回転することを阻止する。ホイール下方向押しキー接触アーム３８は、スイング構成要素３のトレーリング端に取り付けられ、ホイール下方向押しキースイッチ４は、ホイール下方向押しキー接触アームの下でマウス回路基板７に取り付けられる。接触アーム３６及び３７は、スイング構成要素３の前部の両側に取り付けられ、接触アームの接点は上に向けられる。ヘッドスタンドスイッチ５１及び６１は、それぞれ、接触アームの位置に取り付けられ、出力端子及び固定脚を介してマウス回路基板に接続される。
【図１】
2009503659.tif 000003
【図２】
2009503659.tif 000004
【図３】
2009503659.tif 000005
【図４】
2009503659.tif 000006
【図５】
2009503659.tif 000007
【図６】
2009503659.tif 000008
【図７】
2009503659.tif 000009
【図８】
2009503659.tif 000010
【図９】
2009503659.tif 000011
【図１０】
2009503659.tif 000012
【図１１】
2009503659.tif 000013
【図１２】
2009503659.tif 000014
【図１３】
2009503659.tif 000015
【図１４】
2009503659.tif 000016
【図１５】
2009503659.tif 000017
【図１６】
2009503659.tif 000018
【図１７】
2009503659.tif 000019
【図１８】
2009503659.tif 000020
【図１９】
2009503659.tif 000021
【図２０】
2009503659.tif 000022
【図２１】
2009503659.tif 000023
【図２２】
2009503659.tif 000024
【図２３】
2009503659.tif 000025
【図２４】
2009503659.tif 000026
【図２５】
2009503659.tif 000027
【図２６】
2009503659.tif 000028
【図２７】
2009503659.tif 000029
【図２８】
2009503659.tif 000030
【図２９】
2009503659.tif 000031
【図３０】
2009503659.tif 000032
【図３１】
2009503659.tif 000033
【図３２】
2009503659.tif 000034
【図３３】
2009503659.tif 000035
【図３４】
2009503659.tif 000036
【図３５】
2009503659.tif 000037
【図３６】
2009503659.tif 000038
【図３７】
2009503659.tif 000039
【図３８】
2009503659.tif 000040
【図３９】
2009503659.tif 000041
【図４０】
2009503659.tif 000042
【図４１】
2009503659.tif 000043
【図４２】
2009503659.tif 000044
【図４３】
2009503659.tif 000045
【国際調査報告】
2009503659.tif 000046
2009503659.tif 000047
2009503659.tif 000048
2009503659.tif 000049